(57)【要約】【課題】この発明は、同一画面内における表示映像の部分的な明暗に応じてバックライトを構成する複数の光源の発光量をそれぞれ制御する際、表示映像が急激に黒画面に変化するような場合に光源の残光がユーザに認識されることを防止して、画質の改善を図り得るようにした映像表示装置及び映像表示方法を提供することを目的としている。【解決手段】表示映像の形成された表示パネル（７２）面を、複数の光源（７３ａ）を有する照明手段（７３）で背面側から照明する際、複数の光源（７３ａ）の発光量を制御するための点灯値に対し、表示映像の明暗の変化する速さに応じて時間軸方向に特性の異なるフィルタリング処理を施す制御手段（７７）を備える。【選択図】    図３
2015038521.tif 000002
【特許請求の範囲】
【請求項１】
映像信号に基づいて表示映像を形成する表示パネルと、
前記表示パネル面に対応して配列された複数の光源を有し、当該表示パネルにその背面側から照明光を照射する照明手段と、
前記表示パネルに形成される表示映像の明暗に応じて前記複数の光源の発光量を制御するための点灯値をそれぞれ算出する点灯値算出手段と、
前記表示パネルに形成される表示映像の明暗の変化する速さに応じて、前記点灯値算出手段で算出される点灯値に対して、時間軸方向に特性の異なるフィルタリング処理を施す制御手段と、
前記制御手段で時間軸方向にフィルタリング処理の施された点灯値に基づいて前記複数の光源を発光させる駆動手段とを具備することを特徴とする映像表示装置。
【請求項２】
前記制御手段は、前記表示パネルに形成される表示映像が明から暗に変化する速さが速いほど、前記点灯値算出手段で算出される点灯値に対して、時間軸方向に迅速に追従する特性となるフィルタリング処理を施すように切り替えることを特徴とする請求項１記載の映像表示装置。
【請求項３】
前記制御手段は、
前記点灯値算出手段で算出される点灯値に対して時間軸方向に所定の特性となるフィルタリング処理を施す第１のフィルタ手段と、
前記点灯値算出手段で算出される点灯値に対して前記第１のフィルタ手段よりも時間軸方向に迅速に追従する特性となるフィルタリング処理を施す第２のフィルタ手段と、
前記表示パネルに形成される表示映像が動画映像のとき前記第１のフィルタ手段でフィルタリング処理が施された点灯値を選択出力し、前記表示パネルに形成される表示映像が動画映像から黒画面にフレーム単位で変化したとき前記第２のフィルタ手段でフィルタリング処理が施された点灯値を選択出力する選択出力手段とを具備することを特徴とする請求項１記載の映像表示装置。
【請求項４】
前記選択出力手段は、
前記表示パネルに形成される表示映像が動画映像か、動画映像から黒画面にフレーム単位で変化したかを判定する判定手段と、
前記判定手段で動画映像であると判定されたとき前記第１のフィルタ手段から出力される点灯値を選択し、前記判定手段で動画映像から黒画面にフレーム単位で変化したと判定されたとき前記第２のフィルタ手段から出力される点灯値を選択出力する選択手段とを具備することを特徴とする請求項３記載の映像表示装置。
【請求項５】
前記判定手段は、
前記点灯値算出手段で算出される１画面分の点灯値から、その最大値及び平均値の少なくとも一方を取得する取得手段と、
前記取得手段で取得された最大値または平均値が所定のしきい値を実質的に超えているとき、前記表示パネルに形成される表示映像が動画映像と判定し、前記取得手段で取得された最大値または平均値が実質的に所定のしきい値以下になったとき、前記表示パネルに形成される表示映像が動画映像から黒画面にフレーム単位で変化したと判定する比較手段とを具備することを特徴とする請求項４記載の映像表示装置。
【請求項６】
前記選択出力手段は、
前記表示パネルに形成される表示映像が動画映像か、動画映像から黒画面にフレーム単位で変化したかを判定する第１の判定手段と、
前記表示パネルに形成される表示映像がグラフィック映像か、グラフィック映像からその非表示状態、または、グラフィック映像から黒画面に、フレーム単位で変化したかを判定する第２の判定手段と、
前記第１の判定手段で動画映像であると判定されたとき、または、前記第２の判定手段でグラフィック映像であると判定されたとき、前記第１のフィルタ手段から出力される点灯値を選択し、前記第１の判定手段で動画映像から黒画面にフレーム単位で変化したと判定されたとき、または、前記第２の判定手段でグラフィック映像からその非表示状態またはグラフィック映像から黒画面にフレーム単位で変化したと判定されたとき、前記第２のフィルタ手段から出力される点灯値を選択出力する選択手段とを具備することを特徴とする請求項３記載の映像表示装置。
【請求項７】
前記制御手段で時間軸方向のフィルタリング処理が施された点灯値との相関性を取るように、前記表示パネルに表示映像を形成する映像信号を補正する補正手段を具備することを特徴とする請求項１記載の映像表示装置。
【請求項８】
前記表示パネルに表示映像を形成する映像信号をフレーム単位で保存して前記補正手段に供給する記憶手段を具備することを特徴とする請求項７記載の映像表示装置。
【請求項９】
映像信号に基づいて表示パネルに表示映像を形成する工程と、
前記表示パネル面に対応して配列された複数の光源を有する照明手段により、当該表示パネルにその背面側から照明光を照射する工程と、
前記表示パネルに形成される表示映像の明暗に応じて前記複数の光源の発光量を制御するための点灯値をそれぞれ算出する工程と、
前記表示パネルに形成される表示映像の明暗の変化する速さに応じて、算出された点灯値に対して時間軸方向に特性の異なるフィルタリング処理を施す工程と、
時間軸方向にフィルタリング処理の施された点灯値に基づいて前記複数の光源を発光させる工程とを有することを特徴とする映像表示方法。
【発明の詳細な説明】
【技術分野】
【０００１】
この発明は、例えば液晶表示パネル等にバックライトからの照明光を照射して映像の表示を行なう映像表示装置及び映像表示方法の改良に関する。
【背景技術】
【０００２】
周知のように、近年では、映像の表示に液晶表示パネルを使用した映像表示装置が急速に普及してきている。この種の映像表示装置は、例えば蛍光管や放電灯のような冷陰極管等を光源とするバックライトからの照明光を、液晶表示パネルにその背面側から透過させることにより映像を表示している。
【０００３】
そして、現在では、バックライトを複数の光源で構成し、同一画面内における表示映像の部分的な明暗に応じて各光源の発光量をそれぞれ制御することにより、同一画面内で暗い部分はより暗く明るい部分はより明るくしてコントラストを高めるようにした、いわゆるローカルディミング技術が開発されている。
【０００４】
ところで、このようなローカルディミング技術は、まだまだ開発途上にある段階であって、種々の点で改良すべき余地が多々残されている。例えば、通常の動画映像を表示しているときに、表示映像が急激に黒画面に変わるようなシーンチェンジが生じた場合には、各光源を消灯させる制御が追従できずに残光がユーザに認識されている。
【０００５】
特許文献１には、液晶表示パネルと対向する面が独自に輝度を調整できる複数のサブユニットに分割されたバックライトユニットを備え、１つのサブユニットに対応する液晶表示パネルの各画素に入力される表示データから算出された最高輝度に応じて、そのサブユニットの輝度を調整するようにした構成が開示されている。
【０００６】
また、特許文献２には、光源の光量を制御する光量制御データをローパスフィルタに通してノイズの影響を除去するとともに、シーン変化が検出されたときローパスフィルタ処理をオフにし、画面の変化に対して光量の変化に遅れが生じて画質に悪影響を及ぼすことを防止するようにした構成が開示されている。
【先行技術文献】
【特許文献】
【０００７】
【特許文献１】特開２００４−１９１４９０号公報
【特許文献２】特開２００７−２７２０２３号公報
【発明の概要】
【発明が解決しようとする課題】
【０００８】
そこで、この発明は上記事情を考慮してなされたもので、同一画面内における表示映像の部分的な明暗に応じてバックライトを構成する複数の光源の発光量をそれぞれ制御する際、表示映像が急激に黒画面に変化するような場合に光源の残光がユーザに認識されることを防止して、画質の改善を図り得るようにした映像表示装置及び映像表示方法を提供することを目的とする。
【課題を解決するための手段】
【０００９】
まず、この発明に係る映像表示装置は、映像信号に基づいて表示映像を形成する表示パネルと、表示パネル面に対応して配列された複数の光源を有し、当該表示パネルにその背面側から照明光を照射する照明手段と、表示パネルに形成される表示映像の明暗に応じて複数の光源の発光量を制御するための点灯値をそれぞれ算出する点灯値算出手段と、表示パネルに形成される表示映像の明暗の変化する速さに応じて、点灯値算出手段で算出される点灯値に対して、時間軸方向に特性の異なるフィルタリング処理を施す制御手段と、制御手段で時間軸方向にフィルタリング処理の施された点灯値に基づいて複数の光源を発光させる駆動手段とを備えるようにしたものである。
【００１０】
また、この発明に係る映像表示方法は、映像信号に基づいて表示パネルに表示映像を形成する工程と、表示パネル面に対応して配列された複数の光源を有する照明手段により、当該表示パネルにその背面側から照明光を照射する工程と、表示パネルに形成される表示映像の明暗に応じて複数の光源の発光量を制御するための点灯値をそれぞれ算出する工程と、表示パネルに形成される表示映像の明暗の変化する速さに応じて、算出された点灯値に対して時間軸方向に特性の異なるフィルタリング処理を施す工程と、時間軸方向にフィルタリング処理の施された点灯値に基づいて複数の光源を発光させる工程とを有するようにしたものである。
【発明の効果】
【００１１】
上記した発明によれば、表示パネルに形成される表示映像の明暗の変化する速さに応じて、複数の光源の発光量を制御するための点灯値に対して時間軸方向に特性の異なるフィルタリング処理を施すようにしたので、同一画面内における表示映像の部分的な明暗に応じてバックライトを構成する複数の光源の発光量をそれぞれ制御する際、表示映像が急激に黒画面に変化するような場合に光源の残光がユーザに認識されることを防止して、画質の改善を図ることができる。
【図面の簡単な説明】
【００１２】
【図１】この発明の実施の形態を示すもので、デジタルテレビジョン放送受信装置とそれを中心として構成されるネットワークシステムの一例を説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置を構成する映像表示器の一例を説明するために示すブロック構成図。
【図４】同実施の形態における映像表示器を構成する点灯値変換部の一例を説明するために示すブロック構成図。
【図５】同実施の形態における点灯値変換部を構成する第１及び第２の時間軸フィルタの周波数特性を説明するために示す特性曲線図。
【図６】同実施の形態における表示映像の明暗の変化とバックライトを構成する光源の発光量の制御との関係を説明するために示す図。
【図７】同実施の形態における点灯値変換部の行なう処理動作を説明するために示すフローチャート。
【図８】同実施の形態におけるデジタルテレビジョン放送受信装置を構成する映像表示器の他の例を説明するために示すブロック構成図。
【図９】同実施の形態における図８に示した映像表示器を構成する点灯値変換部の一例を説明するために示すブロック構成図。
【図１０】同実施の形態におけるデジタルテレビジョン放送受信装置を構成する映像表示器のさらに他の例を説明するために示すブロック構成図。
【図１１】同実施の形態におけるデジタルテレビジョン放送受信装置を構成する映像表示器のさらに他の例を説明するために示すブロック構成図。
【発明を実施するための最良の形態】
【００１３】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１４】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等を備えた平面パネル型ディスプレイである映像表示器１４、一対のスピーカ１５、操作部１６、リモートコントローラ１７から送信される操作情報を受ける受光部１８等が設置されている。
【００１５】
また、このデジタルテレビジョン放送受信装置１１には、例えばＳＤ（secure digital）メモリカード、ＭＭＣ（multimedia card）及びメモリスティック等の第１のメモリカード１９が着脱可能となっており、この第１のメモリカード１９に対して番組や写真等の情報の記録再生が行なわれるようになっている。
【００１６】
さらに、このデジタルテレビジョン放送受信装置１１には、例えば契約情報等の記録された第２のメモリカード［ＩＣ（integrated circuit）カード］２０が着脱可能となっている。そして、この第２のメモリカード２０に対して契約情報の再生が行なわれるようになっている。
【００１７】
また、このデジタルテレビジョン放送受信装置１１は、第１のＬＡＮ（local area network）端子２１、第２のＬＡＮ端子２２、ＵＳＢ（universal serial bus）端子２３及びＩＥＥＥ（institute of electrical and electronics engineers）１３９４端子２４を備えている。
【００１８】
このうち、第１のＬＡＮ端子２１は、ＬＡＮ対応ＨＤＤ専用ポートとして使用されるもので、接続されたＮＡＳ（network attached storage）であるＬＡＮ対応のＨＤＤ（hard disk drive）２５に対して、イーサネット（登録商標）により情報の記録再生を行なうために使用される。
【００１９】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができるようになる。
【００２０】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、デジタル放送受信機能を有するＨＤＤ内蔵のＤＶＤ（digital versatile disk）レコーダ２９等の機器を接続し、これらの機器と情報伝送を行なうために使用される。
【００２１】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２２】
さらに、この第２のＬＡＮ端子２２は、ハブ２６に接続されたブロードバンドルータ３１を介して、例えばインターネット等のネットワーク３２に接続可能であり、そのネットワーク３２を介して遠隔地にあるＰＣ３３や携帯電話３４等と情報伝送を行なうために使用される。
【００２３】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２４】
さらに、上記ＩＥＥＥ１３９４端子２４は、例えば、それぞれがデジタル放送受信機能を有するＡＶ（audio video）−ＨＤＤ４１やＤ（digital）−ＶＨＳ（video home system）４２等を、ＩＥＥＥ１３９４規格に準拠した形態でシリアル接続し、これらの機器と情報伝送を行なうために使用される。
【００２５】
図２は、上記したデジタルテレビジョン放送受信装置１１の主要な信号処理系を示している。すなわち、ＢＳ（broadcasting satellite）／ＣＳ（communication satellite）デジタル放送受信用のアンテナ４３で受信した衛星デジタル放送信号は、入力端子４４を介して衛星デジタル放送用のチューナ４５に供給されることにより、所望のチャンネルの放送信号が選局される。
【００２６】
そして、このチューナ４５で選局された放送信号は、ＰＳＫ（phase shift keying）復調器４６に供給されてＴＳ（transport stream）が復調される。このＴＳは、ＴＳ復号器４７に供給されてデジタルの映像信号及び音声信号等に復号化された後、信号処理部４８に出力される。
【００２７】
また、地上波放送受信用のアンテナ４９で受信した地上デジタルテレビジョン放送信号は、入力端子５０を介して地上デジタル放送用のチューナ５１に供給されることにより、所望のチャンネルの放送信号が選局される。
【００２８】
そして、このチューナ５１で選局された放送信号は、ＯＦＤＭ（orthogonal frequency division multiplexing）復調器５２に供給されてＴＳが復調される。このＴＳは、ＴＳ復号器５３に供給されてデジタルの映像信号及び音声信号に復号化された後、上記信号処理部４８に出力される。
【００２９】
また、上記地上波放送受信用のアンテナ４９で受信した地上アナログテレビジョン放送信号は、入力端子５０を介して地上アナログ放送用のチューナ５４に供給されることにより、所望のチャンネルの放送信号が選局される。そして、このチューナ５４で選局された放送信号は、アナログ復調器５５に供給されてアナログの映像信号及び音声信号に復調された後、上記信号処理部４８に出力される。
【００３０】
ここで、上記信号処理部４８は、ＴＳ復号器４７，５３からそれぞれ供給されたデジタルの映像信号及び音声信号に対して、選択的に所定のデジタル信号処理を施し、グラフィック処理部５６及び音声処理部５７に出力している。
【００３１】
また、上記信号処理部４８には、複数（図示の場合は４つ）の入力端子５８ａ，５８ｂ，５８ｃ，５８ｄが接続されている。これら入力端子５８ａ〜５８ｄは、それぞれ、アナログの映像信号及び音声信号を、デジタルテレビジョン放送受信装置１１の外部から入力可能とするものである。
【００３２】
そして、この信号処理部４８は、上記アナログ復調器５５及び各入力端子５８ａ〜５８ｄからそれぞれ供給されたアナログの映像信号及び音声信号を選択的にデジタル化し、そのデジタル化された映像信号及び音声信号に対して所定のデジタル信号処理を施した後、グラフィック処理部５６及び音声処理部５７に出力している。
【００３３】
このうち、グラフィック処理部５６は、信号処理部４８から供給されるデジタルの映像信号に、ＯＳＤ（on screen display）信号生成部５９で生成されるＯＳＤ信号を重畳して出力する機能を有する。また、このグラフィック処理部５６は、信号処理部４８の出力映像信号と、ＯＳＤ信号生成部５９の出力ＯＳＤ信号とを選択的に出力することや、両出力をそれぞれ画面の半分を構成するように組み合わせて出力することができる。
【００３４】
そして、グラフィック処理部５６から出力されたデジタルの映像信号は、映像処理部６０に供給される。この映像処理部６０は、入力されたデジタルの映像信号を、前記映像表示器１４で表示可能なフォーマットのアナログ映像信号に変換した後、映像表示器１４に出力して映像表示させるとともに、出力端子６１を介して外部に導出させる。
【００３５】
また、上記音声処理部５７は、入力されたデジタルの音声信号を、前記スピーカ１５で再生可能なフォーマットのアナログ音声信号に変換した後、スピーカ１５に出力して音声再生させるとともに、出力端子６２を介して外部に導出させる。
【００３６】
ここで、このデジタルテレビジョン放送受信装置１１は、上記した各種の受信動作を含むその全ての動作を制御部６３によって統括的に制御されている。この制御部６３は、ＣＰＵ（central processing unit）６３ａを内蔵しており、前記操作部１６からの操作情報を受け、または、リモートコントローラ１７から送出され前記受光部１８で受信した操作情報を受けて、その操作内容が反映されるように各部をそれぞれ制御している。
【００３７】
この場合、制御部６３は、主として、そのＣＰＵ６３ａが実行する制御プログラムを格納したＲＯＭ（read only memory）６３ｂと、該ＣＰＵ６３ａに作業エリアを提供するＲＡＭ（random access memory）６３ｃと、各種の設定情報及び制御情報等が格納される不揮発性メモリ６３ｄとを利用している。
【００３８】
また、この制御部６３は、カードＩ／Ｆ（interface）６４を介して、前記第１のメモリカード１９が装着可能なカードホルダ６５に接続されている。これによって、制御部６３は、カードホルダ６５に装着された第１のメモリカード１９と、カードＩ／Ｆ６４を介して情報伝送を行なうことができる。
【００３９】
さらに、上記制御部６３は、カードＩ／Ｆ６６を介して、前記第２のメモリカード２０が装着可能なカードホルダ６７に接続されている。これにより、制御部６３は、カードホルダ６７に装着された第２のメモリカード２０と、カードＩ／Ｆ６６を介して情報伝送を行なうことができる。
【００４０】
また、上記制御部６３は、通信Ｉ／Ｆ６８を介して第１のＬＡＮ端子２１に接続されている。これにより、制御部６３は、第１のＬＡＮ端子２１に接続されたＬＡＮ対応のＨＤＤ２５と、通信Ｉ／Ｆ６８を介して情報伝送を行なうことができる。この場合、制御部６３は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００４１】
さらに、上記制御部６３は、通信Ｉ／Ｆ６９を介して第２のＬＡＮ端子２２に接続されている。これにより、制御部６３は、第２のＬＡＮ端子２２に接続された各機器（図１参照）と、通信Ｉ／Ｆ６９を介して情報伝送を行なうことができる。
【００４２】
また、上記制御部６３は、ＵＳＢ Ｉ／Ｆ７０を介して前記ＵＳＢ端子２３に接続されている。これにより、制御部６３は、ＵＳＢ端子２３に接続された各機器（図１参照）と、ＵＳＢ Ｉ／Ｆ７０を介して情報伝送を行なうことができる。
【００４３】
さらに、上記制御部６３は、ＩＥＥＥ１３９４ Ｉ／Ｆ７１を介してＩＥＥＥ１３９４端子２４に接続されている。これにより、制御部６３は、ＩＥＥＥ１３９４端子２４に接続された各機器（図１参照）と、ＩＥＥＥ１３９４ Ｉ／Ｆ７１を介して情報伝送を行なうことができる。
【００４４】
図３は、上記映像表示器１４の一例を示している。すなわち、この映像表示器１４は、上記映像処理部６０から出力される映像信号に基づいて表示映像を形成する液晶表示パネル７２と、この液晶表示パネル７２に背面側から照明光を照射して映像表示を行なわせるバックライト７３とを備えている。
【００４５】
このうち、液晶表示パネル７２は、それぞれが液晶セルでなる複数の画素を、水平方向及び垂直方向にマトリクス状に配列することにより構成されている。そして、上記映像処理部６０から出力される１画面分に対応する映像信号が、対応する位置の画素にそれぞれ書き込まれることにより、液晶表示パネル７２に１画面分の表示映像が形成されることになる。
【００４６】
また、上記バックライト７３は、それぞれが例えばＬＥＤ（light emitting diode）等で構成される複数の光源７３ａを、液晶表示パネル７２の映像表示面に対応させて、水平方向及び垂直方向にマトリクス状に配列する構成となされている。そして、このバックライト７３は、各光源７３ａの発光量をそれぞれ独立に制御することが可能となっている。
【００４７】
ここで、上記液晶表示パネル７２は、その複数の画素に対する映像信号の書き込み動作が、液晶表示パネル制御部７４によって制御されている。すなわち、この液晶表示パネル制御部７４には、上記映像処理部６０から出力される映像信号が、入力端子７５を介して供給されている。
【００４８】
そして、この液晶表示パネル制御部７４は、入力端子７５に供給された映像信号を、上記液晶表示パネル７２を構成している各画素に、１水平ライン単位で順次書き込ませることによって、液晶表示パネル７２の各画素に１画面分の表示映像を書き込むように制御している。
【００４９】
また、上記入力端子７５に供給された映像信号は、光源点灯値算出部７６に供給されている。この光源点灯値算出部７６は、入力された映像信号に基づいて、上記バックライト７３を構成する各光源７３ａそれぞれに対する発光量を指定するための点灯値を算出している。
【００５０】
この場合、光源点灯値算出部７６では、入力された映像信号に基づいて、液晶表示パネル７２上における表示映像の暗い部分に対応する光源７３ａの発光量を少なく（暗く）し、液晶表示パネル７２上における表示映像の明るい部分に対応する光源７３ａの発光量を大きく（明るく）するように、各光源７３ａに対する点灯値を算出している。
【００５１】
そして、この光源点灯値算出部７６で算出された各光源７３ａに対する点灯値は、詳細を後述する点灯値変換部７７を介して、バックライト駆動部７８に供給されている。このバックライト駆動部７８は、入力された各光源７３ａに対する点灯値に基づいて、各光源７３ａを発光させている。これにより、液晶表示パネル７２上において、暗い部分はより暗く、明るい部分はより明るくなるように制御され、コントラストが高められるようになる。
【００５２】
図４は、上記点灯値変換部７７の一例を示している。すなわち、この点灯値変換部７７では、上記光源点灯値算出部７６で算出された各光源７３ａに対する点灯値が、入力端子７７ａを介して点灯値読み取り部７７ｂに供給され読み取られる。この点灯値読み取り部７７ｂで読み取られた点灯値は、最大値・平均値算出部７７ｃ、第１の時間軸フィルタ７７ｄ及び第２の時間軸フィルタ７７ｅにそれぞれ供給される。
【００５３】
このうち、第１及び第２の時間軸フィルタ７７ｄ，７７ｅは、それぞれ、入力された各光源７３ａに対する点灯値に対して、時間軸方向にフィルタリング処理を施している。この場合、第１の時間軸フィルタ７７ｄは、図５に特性曲線Ａで一例を示すように、フレーム周波数に対して高いゲインを有している。つまり、第１の時間軸フィルタ７７ｄでは、入力された各光源７３ａに対する点灯値に対して、その時間軸方向の変化が滑らかになるようなフィルタリング処理が施されることになる。
【００５４】
また、上記第２の時間軸フィルタ７７ｅは、図５に特性曲線Ｂで一例を示すように、フレーム周波数に対して上記特性曲線Ａよりも低いゲインを有している。つまり、第２の時間軸フィルタ７７ｅでは、入力された各光源７３ａに対する点灯値に対して、その時間軸方向の変化に迅速に追従するようなフィルタリング処理が施されることになる。
【００５５】
そして、第１の時間軸フィルタ７７ｄにより時間軸方向にフィルタリング処理が施された各光源７３ａに対する点灯値と、第２の時間軸フィルタ７７ｅにより時間軸方向にフィルタリング処理が施された各光源７３ａに対する点灯値とは、スイッチ７７ｆによって選択的に点灯値設定部７７ｇに供給される。
【００５６】
一方、上記最大値・平均値算出部７７ｃは、入力された各光源７３ａに対する点灯値の中から最大値を検出するとともに、各光源７３ａに対する点灯値からその平均値を算出している。この最大値・平均値算出部７７ｃで算出された点灯値の最大値と平均値とは、黒画面判定部７７ｈに供給される。
【００５７】
この黒画面判定部７７ｈは、最大値・平均値算出部７７ｃから供給された点灯値の最大値と平均値とを、それぞれ予め設定されたしきい値と比較する。そして、最大値及び平均値の少なくとも一方がしきい値を超えていれば、液晶表示パネル７２の表示映像が通常の動画映像であると判断して、第１の時間軸フィルタ７７ｄにより時間軸方向にフィルタリング処理が施された各光源７３ａに対する点灯値が、点灯値設定部７７ｇに供給されるようにスイッチ７７ｆを切り替える。
【００５８】
また、この黒画面判定部７７ｈは、最大値及び平均値が共にしきい値以下であれば、液晶表示パネル７２の表示映像が黒画面に変化したと判断して、第２の時間軸フィルタ７７ｅにより時間軸方向にフィルタリング処理が施された各光源７３ａに対する点灯値が、点灯値設定部７７ｇに供給されるようにスイッチ７７ｆを切り替える。
【００５９】
そして、上記点灯値設定部７７ｇは、スイッチ７７ｆを介して供給された各光源７３ａに対する点灯値に対して必要な処理を施し、処理後の各光源７３ａに対する点灯値を、出力端子７７ｉを介して上記バックライト駆動部７８に出力している。
【００６０】
ここで、液晶表示パネル７２の表示映像が通常の動画映像である場合と黒画面に急変した場合とで、第１及び第２の時間軸フィルタ７７ｄ，７７ｅを切り替えて、各光源７３ａに対する点灯値に施す時間軸方向のフィルタリング処理を切り替えることの理由について説明する。
【００６１】
まず、通常の動画映像の場合には、点灯値に対して時間軸方向の変化に迅速に追従するようなフィルタリング処理が施されると、表示映像の動きに合わせて各光源７３ａの発光状況が順次移り変わっていくのが、ユーザに認識されてしまうことになる。このことは、特に、暗闇の中を光が移動していくような動画映像の場合に顕著に認識される。
【００６２】
このため、動画映像の場合には、点灯値に対して時間軸方向の変化が滑らかになるようなフィルタリング処理を施すことにより、各光源７３ａの発光量の変化を滑らかにして、バックライト７３の照明位置が移り変わってゆく状況を、ユーザに認識させないようにする必要がある。
【００６３】
これに対し、例えば、図６（ａ）に示すように、あるフレームで暗闇に星が光っており、その次のフレームで、図６（ｂ）に示すように黒画面になるような映像信号が入力された場合を考える。
【００６４】
この場合、通常の動画映像のように、各光源７３ａに対する点灯値に対して時間軸方向の変化が滑らかになるようなフィルタリング処理を行なうと、星が表示されているフレームでは、図６（ｃ）に示すように、星の位置に対応する光源７３ａも発光しているが、次のフレームでは、星の消えた黒画面であるにもかかわらず、図６（ｄ）に示すように、光源７３ａを消灯させる制御が追従できずに残光がユーザに認識されてしまうことになる。
【００６５】
そこで、黒画面判定部７７ｈにより液晶表示パネル７２の表示映像が急激に黒画面に変化するようなシーンチェンジが生じたことが判定された場合には、各光源７３ａに対する点灯値に対して、その時間軸方向の変化に迅速に追従するようなフィルタリング処理を施すように切り替えることにより、光源７３ａを迅速に消灯させて光源７３ａの残光がユーザに認識されることを防止して、画質の改善を図ることができる。
【００６６】
図７は、上記した点灯値変換部７７の行なう処理動作をまとめたフローチャートを示している。すなわち、処理が開始（ステップＳ１）されると、点灯値変換部７７は、ステップＳ２で、点灯値読み取り部７７ｂにより、光源点灯値算出部７６で算出された各光源７３ａに対する点灯値を読み取る。
【００６７】
そして、点灯値変換部７７は、ステップＳ３で、最大値・平均値算出部７７ｃにより、各光源７３ａに対する点灯値の最大値と平均値とを算出し、ステップＳ４で、黒画面判定部７７ｈにより、点灯値の最大値と平均値とをしきい値と比較して、表示映像が通常の動画映像であるか黒画面であるかを判別する。
【００６８】
表示映像が通常の動画映像であると判断された場合、点灯値変換部７７は、ステップＳ５で、第１の時間軸フィルタ７７ｄにより時間軸方向にフィルタリング処理が施された各光源７３ａに対する点灯値が、点灯値設定部７７ｇに供給されるようにスイッチ７７ｆを切り替えて、処理を終了（ステップＳ７）する。
【００６９】
また、上記ステップＳ４で表示映像が通常の動画映像から黒画面に変化したと判断された場合、点灯値変換部７７は、ステップＳ６で、第２の時間軸フィルタ７７ｅにより時間軸方向にフィルタリング処理が施された各光源７３ａに対する点灯値が、点灯値設定部７７ｇに供給されるようにスイッチ７７ｆを切り替えて、処理を終了（ステップＳ７）する。
【００７０】
図８は、上記映像表示器１４の他の例を示している。図８において、図３と同一部分には同一符号を付して説明すると、入力端子７５に供給された映像信号は、上記光源点灯値算出部７６に供給されるとともに、グラフィック映像解析部７９に供給されている。このグラフィック映像解析部７９は、入力された映像信号中におけるグラフィック映像の有無を解析し、その解析結果を示す信号を上記点灯値変換部７７に出力している。
【００７１】
図９は、図８に示した構成の映像表示器１４で使用される点灯値変換部７７の一例を示している。図９において、図４と同一部分には同一符号を付して説明すると、黒画面判定部７７ｈには、上記最大値・平均値算出部７７ｃによって算出された各光源７３ａに対する点灯値の最大値及び平均値が供給されるとともに、上記グラフィック映像解析部７９の解析結果を示す信号が、入力端子７７ｊを介して供給されている。
【００７２】
この場合、黒画面判定部７７ｈは、グラフィック映像解析部７９から供給されたグラフィック映像の有無の解析結果を示す信号に基づいて、表示映像がグラフィック映像であるか、グラフィック映像からグラフィック映像の非表示状態に急激に変化する、または、グラフィック映像から急激に黒画面に変化するようなシーンチェンジが生じたかを判定している。
【００７３】
そして、表示映像がグラフィック映像である場合、黒画面判定部７７ｈは、点灯値読み取り部７７ｂから出力される各光源７３ａに対する点灯値が、第１の時間軸フィルタ７７ｄにより時間軸方向の変化が滑らかになるようにフィルタリング処理を施されて点灯値設定部７７ｇに供給されるようにスイッチ７７ｆを切り替える。
【００７４】
これに対し、表示映像がグラフィック映像からグラフィック映像の非表示状態に急激に変化した場合、または、グラフィック映像から急激に黒画面に変化した場合、黒画面判定部７７ｈは、点灯値読み取り部７７ｂから出力される各光源７３ａに対する点灯値が、第２の時間軸フィルタ７７ｅにより時間軸方向の変化に迅速に追従するようにフィルタリング処理を施されて点灯値設定部７７ｇに供給されるようにスイッチ７７ｆを切り替える。
【００７５】
すなわち、先に図６を用いて説明したことと同様に、グラフィック映像の場合でも、各光源７３ａに対する点灯値に対して時間軸方向の変化が滑らかになるようなフィルタリング処理を行なっていると、グラフィック映像からグラフィック映像の非表示状態に急激に変化した場合、または、グラフィック映像から急激に黒画面に変化した場合には、光源７３ａを消灯させる制御が追従できずに残光がユーザに認識される事態が生じる。
【００７６】
このため、グラフィック映像からグラフィック映像の非表示状態に急激に変化する、または、グラフィック映像から急激に黒画面に変化するようなシーンチェンジが生じた場合でも、各光源７３ａに対する点灯値に対して、その時間軸方向の変化に迅速に追従するようなフィルタリング処理を施すように切り替えることにより、光源７３ａを迅速に消灯させて光源７３ａの残光がユーザに認識されることを防止して、画質の改善を図ることができる。
【００７７】
なお、上記したグラフィック映像からグラフィック映像の非表示状態に急激に変化した場合とは、グラフィック映像から通常の動画映像に急激に変化した場合等も含まれることはもちろんである。
【００７８】
また、グラフィック映像を表示するときには、グラフィック映像を１００％で映像表示するだけでなく、例えば、グラフィック映像の透過率を２０％とし、この２０％分について背景の映像がαブレンディングにて混合されて表示されるような場合にも、この発明を適用することができる。
【００７９】
例えば、通常の動画映像とグラフィック映像とを所定の比率で重畳して映像表示を行なっている場合に、グラフィック映像が急激に非表示状態に変化し、通常の動画映像のみが表示されるようになった場合にも、第２の時間軸フィルタ７７ｅの出力が点灯値設定部７７ｇに供給されるようにスイッチ７７ｆを切り替えることにより、残光がユーザに認識されることを防止して、画質の改善を図ることができる。
【００８０】
なお、上記の説明において、グラフィック映像解析部７９は、グラフィック映像の有無を解析結果するものとしたが、これに限らず、例えば、ユーザによりグラフィック映像を表示または非表示させる操作が行なわれたことを判定して、その判定結果を黒画面判定部７７ｈに供給するものであっても、光源７３ａの残光を防止する効果を得られることは、容易に窺い知ることができる。
【００８１】
図１０は、上記映像表示器１４のさらに他の例を示している。図１０において、図８と同一部分には同一符号を付して説明すると、入力端子７５に供給された映像信号は、映像信号補正部８０を介して上記液晶表示パネル制御部７４に供給されている。この映像信号補正部８０は、点灯値変換部７７で時間軸方向のフィルタリング処理が施された後の各光源７３ａに対する点灯値との相関性を取るように、入力された映像信号を補正している。
【００８２】
図１１は、上記映像表示器１４のさらに他の例を示している。図１１において、図１０と同一部分には同一符号を付して説明すると、入力端子７５に供給された映像信号は、フレームメモリ８１を介して上記映像信号補正部８０に供給されている。このフレームメモリ８１は、入力端子７５に供給された映像信号をフレーム単位で保存して映像信号補正部８０に供給している。
【００８３】
なお、上記した実施の形態では、点灯値変換部７７が、特性の異なる２つの時間軸フィルタ７７ｄ，７７ｅの出力を、各光源７３ａに対する点灯値として選択するようにしている。しかしながら、これに限らず、特性の異なる３つ以上の時間軸フィルタを用意しておき、表示映像の明暗の変化に応じて適切な特性を有する時間軸フィルタの出力を、各光源７３ａに対する点灯値として選択するようにしても良いことはもちろんである。
【００８４】
また、上記した実施の形態では、黒画面判定部７７ｈが、最大値・平均値算出部７７ｃで算出された各光源７３ａに対する点灯値の最大値と平均値とを共にしきい値と比較して、表示映像が通常の動画映像であるか黒画面に変化したかを判別するようにしている。しかしながら、これに限らず、各光源７３ａに対する点灯値の最大値及び平均値のいずれか一方をしきい値と比較して、表示映像が通常の動画映像であるか黒画面に変化したかを判別するようにしても良いものである。
【００８５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００８６】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ＩＥＥＥ１３９４端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…ＴＳ復号器、４８…信号処理部、４９…アンテナ、５０…入力端子、５１…チューナ、５２…ＯＦＤＭ復調器、５３…ＴＳ復号器、５４…チューナ、５５…アナログ復調器、５６…グラフィック処理部、５７…オーディオ処理部、５８ａ〜５８ｄ…入力端子、５９…ＯＳＤ信号生成部、６０…映像処理部、６１，６２…出力端子、６３…制御部、６３ａ…ＣＰＵ、６３ｂ…ＲＯＭ、６３ｃ…ＲＡＭ、６３ｄ…不揮発性メモリ、６４…カードＩ／Ｆ、６５…カードホルダ、６６…カードＩ／Ｆ、６７…カードホルダ、６８，６９…通信Ｉ／Ｆ、７０…ＵＳＢ Ｉ／Ｆ、７１…ＩＥＥＥ１３９４ Ｉ／Ｆ、７２…液晶表示パネル、７３…バックライト、７３ａ…光源、７４…液晶表示パネル制御部、７５…入力端子、７６…光源点灯値算出部、７７…点灯値変換部、７７ａ…入力端子、７７ｂ…点灯値読み取り部、７７ｃ…最大値・平均値算出部、７７ｄ…第１の時間軸フィルタ、７７ｅ…第２の時間軸フィルタ、７７ｆ…スイッチ、７７ｇ…点灯値設定部、７７ｈ…黒画面判定部、７７ｉ…出力端子、７７ｊ…入力端子、７８…バックライト駆動部、７９…グラフィック映像解析部、８０…映像信号補正部、８１…フレームメモリ。
【図１】
2015038521.tif 000003
【図２】
2015038521.tif 000004
【図３】
2015038521.tif 000005
【図４】
2015038521.tif 000006
【図５】
2015038521.tif 000007
【図６】
2015038521.tif 000008
【図７】
2015038521.tif 000009
【図８】
2015038521.tif 000010
【図９】
2015038521.tif 000011
【図１０】
2015038521.tif 000012
【図１１】
2015038521.tif 000013
【手続補正書】
【提出日】平成22年8月2日(2010.8.2)
【手続補正１】
【補正対象書類名】明細書
【補正対象項目名】０００９
【補正方法】変更
【補正の内容】
【０００９】
まず、この発明に係る映像表示装置は、映像信号に基づいて表示映像を形成する表示パネルと、表示パネル面に対応して配列された複数の光源を有し、当該表示パネルにその背面側から照明光を照射する照明手段と、表示パネルに形成される表示映像の明暗に応じて複数の光源の発光量を制御するための点灯値をそれぞれ算出する点灯値算出手段と、点灯値算出手段で算出される１画面分の点灯値から、その最大値及び平均値の少なくともいずれか一方を取得する取得手段と、表示パネルに形成される表示映像が明から暗に変化する速さが速いほど、点灯値算出手段で算出される点灯値に対して、時間軸方向に特性の異なるフィルタリング処理を施すように切り替える制御手段であって、取得手段で取得された最大値または平均値が所定のしきい値を超えていないときに、点灯値算出手段で算出される点灯値に対して、所定のしきい値を超えているときよりも、時間軸方向に迅速に追従する特性となるフィルタリング処理を施すようにフィルタリング処理を切り替える制御手段と、制御手段で時間軸方向にフィルタリング処理の施された点灯値に基づいて複数の光源を発光させる駆動手段とを備えるようにしたものである。
【手続補正２】
【補正対象書類名】明細書
【補正対象項目名】００１０
【補正方法】変更
【補正の内容】
【００１０】
また、この発明に係る映像表示方法は、映像信号に基づいて表示パネルに表示映像を形成する工程と、表示パネル面に対応して配列された複数の光源を有する照明手段により、当該表示パネルにその背面側から照明光を照射する工程と、表示パネルに形成される表示映像の明暗に応じて複数の光源の発光量を制御するための点灯値をそれぞれ算出する工程と、複数の光源の発光量を制御するために算出された１画面分の点灯値から、その最大値及び平均値の少なくともいずれか一方を取得する工程と、表示パネルに形成される表示映像が明から暗に変化する速さが速いほど、算出された点灯値に対して時間軸方向に特性の異なるフィルタリング処理を施すように切り替える工程であって、取得された最大値または平均値が所定のしきい値を超えていないとき、算出された点灯値に対して、所定のしきい値を超えているときよりも、時間軸方向に迅速に追従する特性となるフィルタリング処理を施すようにフィルタリング処理を切り替える工程と、時間軸方向にフィルタリング処理の施された点灯値に基づいて複数の光源を発光させる工程とを有するようにしたものである。
【手続補正３】
【補正対象書類名】明細書
【補正対象項目名】００１１
【補正方法】変更
【補正の内容】
【００１１】
上記した発明によれば、複数の光源の発光量を制御するために算出された１画面分の点灯値から、その最大値及び平均値の少なくともいずれか一方を取得し、取得された最大値または平均値が所定のしきい値を超えていないとき、算出された点灯値に対して、所定のしきい値を超えているときよりも、時間軸方向に迅速に追従する特性となるフィルタリング処理を施すようにフィルタリング処理を切り替えるようにしたので、同一画面内における表示映像の部分的な明暗に応じてバックライトを構成する複数の光源の発光量をそれぞれ制御する際、表示映像が急激に黒画面に変化するような場合に光源の残光がユーザに認識されることを防止して、画質の改善を図ることができる。
【手続補正４】
【補正対象書類名】特許請求の範囲
【補正対象項目名】全文
【補正方法】変更
【補正の内容】
【特許請求の範囲】
【請求項１】
映像信号に基づいて表示映像を形成する表示パネルと、
前記表示パネル面に対応して配列された複数の光源を有し、当該表示パネルにその背面側から照明光を照射する照明手段と、
前記表示パネルに形成される表示映像の明暗に応じて前記複数の光源の発光量を制御するための点灯値をそれぞれ算出する点灯値算出手段と、
前記点灯値算出手段で算出される１画面分の点灯値から、その最大値及び平均値の少なくともいずれか一方を取得する取得手段と、
前記表示パネルに形成される表示映像が明から暗に変化する速さが速いほど、前記点灯値算出手段で算出される点灯値に対して、時間軸方向に特性の異なるフィルタリング処理を施すように切り替える制御手段であって、前記取得手段で取得された最大値または平均値が所定のしきい値を超えていないときに、前記点灯値算出手段で算出される点灯値に対して、前記所定のしきい値を超えているときよりも、時間軸方向に迅速に追従する特性となるフィルタリング処理を施すようにフィルタリング処理を切り替える制御手段と、
前記制御手段で時間軸方向にフィルタリング処理の施された点灯値に基づいて前記複数の光源を発光させる駆動手段とを具備することを特徴とする映像表示装置。
【請求項２】
前記制御手段は、
前記点灯値算出手段で算出される点灯値に対して時間軸方向に所定の特性となるフィルタリング処理を施す第１のフィルタ手段と、
前記点灯値算出手段で算出される点灯値に対して前記第１のフィルタ手段よりも時間軸方向に迅速に追従する特性となるフィルタリング処理を施す第２のフィルタ手段と、
前記取得手段で取得された最大値または平均値が所定のしきい値を超えているとき、前記第１のフィルタ手段から出力される点灯値を選択出力し、前記取得手段で取得された最大値または平均値が所定のしきい値を超えていないとき、前記第２のフィルタ手段から出力される点灯値を選択出力する第１の選択手段とを具備することを特徴とする請求項１記載の映像表示装置。
【請求項３】
前記第１の選択手段は、前記取得手段で取得された最大値または平均値が所定のしきい値を超えているとき、前記表示パネルに形成される表示映像が動画映像と判定し、前記取得手段で取得された最大値または平均値が所定のしきい値を超えていないとき、前記表示パネルに形成される表示映像が動画映像から黒画面にフレーム単位で変化したと判定することを特徴とする請求項２記載の映像表示装置。
【請求項４】
前記表示パネルに形成される表示映像が動画映像か、動画映像から黒画面にフレーム単位で変化したかを判定する第１の判定手段と、
前記表示パネルに形成される表示映像がグラフィック映像か、グラフィック映像からその非表示状態、または、グラフィック映像から黒画面に、フレーム単位で変化したかを判定する第２の判定手段と、
前記第１の判定手段で動画映像であると判定されたとき、または、前記第２の判定手段でグラフィック映像であると判定されたとき、前記第１のフィルタ手段から出力される点灯値を選択し、前記第１の判定手段で動画映像から黒画面にフレーム単位で変化したと判定されたとき、または、前記第２の判定手段でグラフィック映像からその非表示状態またはグラフィック映像から黒画面にフレーム単位で変化したと判定されたとき、前記第２のフィルタ手段から出力される点灯値を選択出力する第２の選択手段とを具備することを特徴とする請求項２記載の映像表示装置。
【請求項５】
前記制御手段で時間軸方向のフィルタリング処理が施された点灯値との相関性を取るように、前記表示パネルに表示映像を形成する映像信号を補正する補正手段を具備することを特徴とする請求項１記載の映像表示装置。
【請求項６】
前記表示パネルに表示映像を形成する映像信号をフレーム単位で保存して前記補正手段に供給する記憶手段を具備することを特徴とする請求項５記載の映像表示装置。
【請求項７】
映像信号に基づいて表示パネルに表示映像を形成する工程と、
前記表示パネル面に対応して配列された複数の光源を有する照明手段により、当該表示パネルにその背面側から照明光を照射する工程と、
前記表示パネルに形成される表示映像の明暗に応じて前記複数の光源の発光量を制御するための点灯値をそれぞれ算出する工程と、
前記複数の光源の発光量を制御するために算出された１画面分の点灯値から、その最大値及び平均値の少なくともいずれか一方を取得する工程と、
前記表示パネルに形成される表示映像が明から暗に変化する速さが速いほど、前記算出された点灯値に対して時間軸方向に特性の異なるフィルタリング処理を施すように切り替える工程であって、前記取得された最大値または平均値が所定のしきい値を超えていないとき、前記算出された点灯値に対して、前記所定のしきい値を超えているときよりも、時間軸方向に迅速に追従する特性となるフィルタリング処理を施すようにフィルタリング処理を切り替える工程と、
時間軸方向にフィルタリング処理の施された点灯値に基づいて前記複数の光源を発光させる工程とを有することを特徴とする映像表示方法。